(57)【要約】【課題】使用者が外観の変更を容易に行うことができる照明器具を提供する。【解決手段】照明器具１０では、上ろくろ１３及び下ろくろ１５が各上小骨１４、親骨１７及び下小骨１４を介して互いに接続し、それらの各接続部が回動可能である。また、下ろくろ１５と重り１９が、上ろくろ１３において摺動可能に折り返して両者を連結するワイヤによってバランスが取れるように設定されている。これにより、使用者が下ろくろ１５又は重り１９を上下させることにより下ろくろ１５の位置（高さ）を変化させると、親骨１７と下小骨１６の間の角度が変化し、シェードの外観が変化する。また、使用者は下ろくろ１５を任意の高さで静止させることができるため、変化したシェードの形状は、使用者が下ろくろ１５や重り１９から手を離してもそのまま維持される。これにより、使用者はシェードの形状を簡単に変化させて楽しむことができる。【選択図】図１
2011216191.tif 000002
【特許請求の範囲】
【請求項１】
a)所定の支持具に支持された上ろくろと、
b)前記上ろくろの中心軸に対して回転対称に設けられた多数の小骨であって、一端が該上ろくろに固定され、他端が該上ろくろから放射状に広がる上小骨と、
c)前記上ろくろからワイヤで所定の複数の位置又は任意の位置で停止可能なように吊り下げられた下ろくろと、
d)前記下ろくろの中心軸に対して回転対称に、各上小骨に対して１：１に設けられた多数の小骨であって、各小骨の一端は該下ろくろに回動可能に固定され、他端は該下ろくろ中心軸を含む面内で回動可能である下小骨と、
e)各上小骨及び下小骨に対して１：１に設けられた多数の親骨であって、上側において上小骨の前記他端に枢着され、下側において下小骨の前記他端に枢着された親骨と
を備えることを特徴とする照明器具。
【請求項２】
a)所定の支持具に支持された上ろくろと、
b)前記上ろくろの中心軸に対して回転対称に設けられた多数の小骨であって、一端が該上ろくろに固定され、他端が該上ろくろから放射状に広がる上小骨と、
c)前記上ろくろの下方に配置された下ろくろと、
d)前記下ろくろの中心軸に対して回転対称に、各上小骨に対して１：１に設けられた多数の小骨であって、各小骨の一端は該下ろくろに回動可能に固定され、他端は該下ろくろ中心軸を含む面内で回動可能である下小骨と、
e)各上小骨及び下小骨に対して１：１に設けられた多数の親骨であって、上側において上小骨の前記他端に枢着され、下側において下小骨の前記他端に枢着された親骨と、
f)前記上ろくろの下方に配置され、前記上ろくろにおいて摺動可能に折り返すワイヤにより前記下ろくろと連結され、前記下ろくろとバランスを取るように重量が調整された重りと
を備えることを特徴とする照明器具。
【請求項３】
前記上ろくろが、前記ワイヤの折り返し部にまくらを有するものであることを特徴とする請求項２に記載の照明器具。
【請求項４】
a)所定の支持具に支持された上ろくろと、
b)前記上ろくろの中心軸に対して回転対称に設けられた多数の小骨であって、一端が該上ろくろに固定され、他端が該上ろくろから放射状に広がる上小骨と、
c)前記上ろくろから吊り下げられたワイヤが挿通される挿通孔を有する下ろくろであって、該ワイヤと該挿通孔の間に該下ろくろを保持する程度の摩擦が生じるように設定されている下ろくろと、
d)前記下ろくろの中心軸に対して回転対称に、各上小骨に対して１：１に設けられた多数の小骨であって、各小骨の一端は該下ろくろに回動可能に固定され、他端は該下ろくろ中心軸を含む面内で回動可能である下小骨と、
e)各上小骨及び下小骨に対して１：１に設けられた多数の親骨であって、上側において上小骨の前記他端に枢着され、下側において下小骨の前記他端に枢着された親骨と
を備えることを特徴とする照明器具。
【請求項５】
前記ワイヤが複数であり、
各ワイヤの下部に固定された碇部材を備え、
各ワイヤを挿通する前記挿通孔が、前記下ろくろが各ワイヤの中間位置にあるときに、各ワイヤの上下の固定点を結ぶ直線上からずれた位置にあることを特徴とする請求項４に記載の照明器具。
【請求項６】
a)所定の支持具に支持された上ろくろと、
b)前記上ろくろの中心軸に対して回転対称に設けられた多数の小骨であって、一端が該上ろくろに固定され、他端が該上ろくろから放射状に広がる上小骨と、
c)前記上ろくろから吊り下げられたワイヤが挿通される挿通孔と、該挿通孔において該ワイヤを保持するワイヤストッパを備える下ろくろと、
d)前記下ろくろの中心軸に対して回転対称に、各上小骨に対して１：１に設けられた多数の小骨であって、各小骨の一端は該下ろくろに回動可能に固定され、他端は該下ろくろ中心軸を含む面内で回動可能である下小骨と、
e)各上小骨及び下小骨に対して１：１に設けられた多数の親骨であって、上側において上小骨の前記他端に枢着され、下側において下小骨の前記他端に枢着された親骨と
を備えることを特徴とする照明器具。
【請求項７】
前記上小骨が前記上ろくろの中心軸を含む面内で回動可能であり、所定の角度又は任意の角度で停止するようになっていることを特徴とする請求項１〜６のいずれかに記載の照明器具。
【発明の詳細な説明】
【技術分野】
【０００１】
本発明は、室内等を照明する照明器具に関し、特にその傘（シェード）の構造に関する。
【背景技術】
【０００２】
これまで、室内の照明器具に関して、ペンダント型やフロアスタンド型の照明器具のシェードを折り畳み可能な構造とすることで収納や取り扱いを容易にしようとする考案は、すでに種々なされている。
【０００３】
例えば、特許文献１には、リング状をした上下ろくろのそれぞれに複数の支骨を放射状かつ開閉自在に取り付け、各支骨を主骨の適宜な位置に回転自在に枢着し、主骨の外側に布地を被着して成る折り畳み自在なランプシェードが開示されている。また、特許文献２には、外被の張設支杆を中央の支持体を中心に集束および散開可能に構成したことを特徴とする折り畳み自在なシェードが開示されている。
【０００４】
また、本願発明者は、長年和傘の製造に携わってきた経験に基づき、和傘構造を用いた照明器具を提案している（特許文献３参照）。この照明器具はろくろの中心軸に対して回転対称に放射状に設けられた多数の小骨と、各小骨の先端に枢着された親骨とを備えており、全親骨の周囲に、その周囲長が、小骨がろくろ中心軸に対して垂直になった時の全小骨の先端の周囲長よりも小さい和紙等から成るシェード部材が張設されている
【先行技術文献】
【特許文献】
【０００５】
【特許文献１】実開昭59-28904号公報
【特許文献２】実開昭48-17986号公報
【特許文献３】特許第4392012号公報
【発明の概要】
【発明が解決しようとする課題】
【０００６】
照明器具は室内を明るくする機能性だけでなくデザイン性も要求されるものであり、また、そのときの状況に応じて使用者により外観が変更されることもある。例えば光源を覆うシェードを、季節等に応じて適したものに取り換えたり、パーティやイベント等の場面に応じて周囲の雰囲気に応じたものに取り換えたりという使い方がされることもある。
【０００７】
しかし、上記従来の照明器具はいずれも、外観を変更するためにはシェードを取り外して別のシェードに取り換える必要があり、その作業に手間が掛かる。そのため、使用者がその時々の状況に応じて外観を簡単に変更して楽しむような使い方には適さない。
【０００８】
本発明はこのような点に鑑みてなされたものであり、その目的とするところは、使用者が外観の変更を容易に行うことができる照明器具を提供することにある。
【課題を解決するための手段】
【０００９】
上記課題を解決するために成された本発明に係る照明器具は、
a)所定の支持具に支持された上ろくろと、
b)前記上ろくろの中心軸に対して回転対称に設けられた多数の小骨であって、一端が該上ろくろに固定され、他端が該上ろくろから放射状に広がる上小骨と、
c)前記上ろくろからワイヤで所定の複数の位置又は任意の位置で停止可能なように吊り下げられた下ろくろと、
d)前記下ろくろの中心軸に対して回転対称に、各上小骨に対して１：１に設けられた多数の小骨であって、各小骨の一端は該下ろくろに回動可能に固定され、他端は該下ろくろ中心軸を含む面内で回動可能である下小骨と、
e)各上小骨及び下小骨に対して１：１に設けられた多数の親骨であって、上側において上小骨の前記他端に枢着され、下側において下小骨の前記他端に枢着された親骨と
を備えることを特徴とする。
【００１０】
上記支持具としては、天井から吊り下げるペンダント型のものであってもよいし、床上に置くフロアスタンド型のものであってもよい。
上ろくろに関して述べた「放射状に」とは、必ずしも上ろくろの中心軸に対して90゜に（水平に）広がる場合ばかりではなく、鋭角／鈍角で（上方／下方に）放射状に広がる場合も含む。
【００１１】
下ろくろを上ろくろからワイヤで所定の複数の位置又は任意の位置で停止可能なように吊り下げる方法としては、いくつか考えることができる。
一つは、上ろくろにおいて摺動可能に折り返すワイヤで下ろくろと重りを連結し、重りの重量を下ろくろとバランスを取るように調整しておくという方法である。この方法による照明器具は、
a)所定の支持具に支持された上ろくろと、
b)前記上ろくろの中心軸に対して回転対称に設けられた多数の小骨であって、一端が該上ろくろに固定され、他端が該上ろくろから放射状に広がる上小骨と、
c)前記上ろくろの下方に配置された下ろくろと、
d)前記下ろくろの中心軸に対して回転対称に、各上小骨に対して１：１に設けられた多数の小骨であって、各小骨の一端は該下ろくろに回動可能に固定され、他端は該下ろくろ中心軸を含む面内で回動可能である下小骨と、
e)各上小骨及び下小骨に対して１：１に設けられた多数の親骨であって、上側において上小骨の前記他端に枢着され、下側において下小骨の前記他端に枢着された親骨と、
f)前記上ろくろの下方に配置され、前記上ろくろにおいて摺動可能に折り返すワイヤにより前記下ろくろと連結され、前記下ろくろとバランスを取るように重量が調整された重りと
を備えることを特徴とする。
【００１２】
また、ワイヤと下ろくろの間の摩擦を利用することもできる。具体的には、下ろくろにワイヤを通す挿通孔を設け、挿通孔とワイヤの間に下ろくろ（及びそれに接続された下小骨等の一部の荷重）を保持する程度の摩擦が生じるようにする。この方法による照明器具は、
a)所定の支持具に支持された上ろくろと、
b)前記上ろくろの中心軸に対して回転対称に設けられた多数の小骨であって、一端が該上ろくろに固定され、他端が該上ろくろから放射状に広がる上小骨と、
c)前記上ろくろから吊り下げられたワイヤが挿通される挿通孔を有する下ろくろであって、該ワイヤと該挿通孔の間に該下ろくろを保持する程度の摩擦が生じるように設定されている下ろくろと、
d)前記下ろくろの中心軸に対して回転対称に、各上小骨に対して１：１に設けられた多数の小骨であって、各小骨の一端は該下ろくろに回動可能に固定され、他端は該下ろくろ中心軸を含む面内で回動可能である下小骨と、
e)各上小骨及び下小骨に対して１：１に設けられた多数の親骨であって、上側において上小骨の前記他端に枢着され、下側において下小骨の前記他端に枢着された親骨と
を備えることを特徴とする。
【００１３】
更に別の方法として、下ろくろにワイヤストッパを設けるという方法がある。この方法による照明器具は、
a)所定の支持具に支持された上ろくろと、
b)前記上ろくろの中心軸に対して回転対称に設けられた多数の小骨であって、一端が該上ろくろに固定され、他端が該上ろくろから放射状に広がる上小骨と、
c)前記上ろくろから吊り下げられたワイヤが挿通される挿通孔と、該挿通孔において該ワイヤを保持するワイヤストッパを備える下ろくろと、
d)前記下ろくろの中心軸に対して回転対称に、各上小骨に対して１：１に設けられた多数の小骨であって、各小骨の一端は該下ろくろに回動可能に固定され、他端は該下ろくろ中心軸を含む面内で回動可能である下小骨と、
e)各上小骨及び下小骨に対して１：１に設けられた多数の親骨であって、上側において上小骨の前記他端に枢着され、下側において下小骨の前記他端に枢着された親骨と
を備えることを特徴とする。
【発明の効果】
【００１４】
本発明に係る照明器具では、上ろくろ及び下ろくろが各上小骨、親骨及び下小骨を介して互いに接続している。また、親骨と上下小骨の各接続部及び下小骨と下ろくろの接続部が回動可能である。これらにより、使用者が下ろくろを上下させてその位置（高さ）を変化させると、親骨と下小骨の間の角度が変化し、シェードの外観が変化する。また、上ろくろからワイヤで吊り下げられた下ろくろは複数の位置（高さ）又は任意の位置（高さ）で停止可能であるため、変化したシェードの形状は、使用者が下ろくろから手を離してもそのまま維持される。以上により、使用者はシェードの形状を簡単に変化させて楽しむことができる。更に、シェードの形状を変化させることにより、光源から発せられる光により室内の床面や壁面に投影されるシェードの陰影の形態も変化するため、これにより室内の雰囲気を変えることもできる。
【図面の簡単な説明】
【００１５】
【図１】本発明の実施例１に係る照明器具を説明する図であり、(ａ)は平面図、(ｂ)は(ａ)のＡ−Ａ矢視断面図である。
【図２】上ろくろを説明する図であり、(ａ)は平面図、(ｂ)は(ａ)のＢ−Ｂ矢視断面図、(ｃ)は(ａ)のＣ−Ｃ矢視断面図、(ｄ)は(ａ)のＤ−Ｄ矢視断面図である。
【図３】実施例１に係る照明器具の外観を変化させた状態を示す断面図。
【図４】実施例１に係る照明器具の下ろくろを上ろくろに近づけた状態を示す断面図。
【図５】本発明の実施例２に係る照明器具を説明する図であり、(ａ)はシェードを開いたときの断面図であり、(ｂ)はシェードを閉じたときの断面図である。
【発明を実施するための形態】
【００１６】
以下、本発明の一実施例である照明器具について、図面を参照して説明する。
【実施例１】
【００１７】
本実施例の照明器具１０は、図１に示すように、室内の天井等から吊り下げられるペンダント型のものであり、電球１１が取り付けられるソケット部１２の周囲にシェードが設けられている。シェードは、ソケット部１２に固定された上ろくろ１３と、上ろくろ１３の中心軸に対して回転対称に設けられた多数の上小骨１４と、上ろくろ１３の下方に配置された下ろくろ１５と、下ろくろ１５の中心軸に対して回転対称に、各上小骨１４と同じ位置に、各上小骨に対して１：１に設けられた多数の下小骨１６と、対応する各上小骨１４と下小骨１６を接続する親骨１７とを有する。
【００１８】
上小骨１４は一端が上ろくろ１３に回動可能に固定されており、他端が親骨１７の上側に枢着されている。下小骨１６は一端が下ろくろ１５に回動可能に固定されており、他端が親骨１７の下側に枢着されている。上小骨１４及び下小骨１６の上記各他端は、上下ろくろの中心軸を含む面内で回動可能である。上小骨１４、下小骨１６、親骨１７は、スチール等の金属製のものの他、樹脂製や竹製、木製等のものであってもよい。
【００１９】
図２に示すように、上ろくろ１３の上面の周縁には上小骨１４の回動を許す溝１３１が設けられており、上小骨１４の端部が溝１３１の中で回動可能に固定されている。上小骨１４の下方向への回動は溝１３１の底面によって規制される。
【００２０】
本実施例では、上小骨１４の端部を溝１３１の中で回動可能に固定するために、各上小骨１４の端部に設けられた貫通孔に順に通された１本のワイヤと、各溝の間に挟まれた壁部１３２に設けられた、上ろくろ１３の外周側から中心側に向かって凹む凹部１３３（図２(ｃ)参照）を用いる。固定の際には、まず上記ワイヤにより繋がった各上小骨１４の端部を各溝１３１に嵌め、次にワイヤの両端を引いてワイヤが形成する輪の径を小さくする。これにより、ワイヤが各凹部１３３に嵌まり、上小骨１４の端部が溝１３１の中で回動可能に固定される。ワイヤの両端はかしめ金具や捻って縛ること等により固定する。
【００２１】
下ろくろ１５についても上ろくろ１３と同様に、その下面の周縁に下小骨１６の回動を許す溝が設けられており、下小骨１６の端部が溝の中で回動可能に固定されている。なお、上ろくろ１３と下ろくろ１５を全く同じ形状にし、上ろくろ１３では溝を上に向け、下ろくろ１５では溝を下に向けて使用してもよい。上ろくろ１３及び下ろくろ１５は、樹脂製の他、木製や金属製等であってもよい。
【００２２】
下ろくろ１５の下方には、重り１９が配置されている。重り１９は、上ろくろ１３において摺動可能に折り返すワイヤ２０により下ろくろ１５と連結されている。ワイヤ２０は本実施例では３本であるが、本発明においてはその本数は任意であり、１本でもよい。ただし、下ろくろ１５の姿勢を安定させ、操作をスムーズにするためには２本以上とすることが望ましく、重り１９の姿勢も安定させるためには３本以上が望ましい。図２に示すように、上ろくろ１３には上下に貫く貫通孔１３４が対になってワイヤの本数と同じ対の数だけ設けられており、ワイヤ２０は、重り１９から、上ろくろ１３の一つの貫通孔１３４を通って上ろくろ１３の上面側へ抜け、そこからそれと対になる貫通孔１３４を通って上ろくろ１３の下面側へ抜けて下ろくろ１５に達する。上ろくろ１３の上面の、対となっている貫通孔１３４の間の部分には、凸状のまくら１３５が設けられている。このまくら１３５により、ワイヤ２０は上ろくろ１３の上面側において貫通孔１３４の縁で小さな曲率半径（大きな曲率）で屈曲することなく、大きく湾曲して折り返すことができるため、ワイヤ２０が滑らかに移動することができる。
【００２３】
重り１９の重量は、ワイヤ２０により上ろくろ１３を介して下ろくろ１５と接続された状態で、下ろくろ１５の重量（実際には、下ろくろ１５とそれに接続された下小骨等の周辺を含むシステムの重量）とバランスを取るように調整されている。ここで、ワイヤ２０と上ろくろ１３の貫通孔１３４及びまくら１３５の間には摩擦があるため、その摩擦力により、重り１９と下ろくろ１５の重量バランスには或る程度の許容範囲が存在し、両者の重量差がその許容範囲内であれば、両者（特に下ろくろ１５）は任意の位置（高さ）で静止させることができる。
【００２４】
以上の構成により本実施例の照明器具１０では、使用者が重り１９又は下ろくろ１５を上下させることにより、下ろくろ１５の位置（高さ）が変化し、それにより下小骨１６と親骨１７の間の角度が変化して、シェードの外観が変化する。例えば、下ろくろ１５が図１(ｂ)に示す高さにあるときには下小骨１６は中心軸からほぼ90°に近い角度で下ろくろ１５から広がり、シェードは下部が広がった形状を成すが、使用者が重り１９を図３に示す高さまで引き下げて下ろくろ１５を上方に移動させると、下小骨１６は下方にすぼまり、シェードは下部が狭まった形状を成す。
【００２５】
ここで、下ろくろ１５は任意の高さで静止させることができるため、変化したシェードの形状は、使用者が重り１９や下ろくろ１５から手を離してもそのまま維持される。例えば、下ろくろ１５が図１、３に示す高さにあっても、それらの中間の高さにあっても、シェードの形状は維持される。
【００２６】
以上により、使用者はシェードの形状を簡単に変化させて楽しむことができる。また、シェードの形状を変化させることにより、光源から発せられる光により室内の床面や壁面に投影されるシェードの陰影の形態も変化するため、これにより室内の雰囲気を変えることもできる。
【００２７】
図３に示す状態から更に下ろくろ１５を上ろくろ１３に近づけると、図４に示すように上小骨１４が上方に回動し、親骨１７が上下のろくろに近接する。また、親骨１７をすぼめても同様である。これにより、シェードを細い筒状にすることができる。このようにコンパクトにすることにより、本実施例に係る照明器具１０は、保管や輸送に便利なものとなり、それら（保管・輸送）のコストを抑えることができる。
【００２８】
本実施例の照明器具１０では、各親骨１７には親骨カバー１８を取り付けている。このような構成であれば、異なる形状や色の親骨カバー１８を親骨１７に取り付けることができ、照明器具１０の外観デザインを大きく変更することがでる。また、多種多様の親骨カバー１８を用意しておくことにより、照明器具１０のバリエーションを増やすことができる。また、各小骨の枢着部を隠すことができるため、デザイン性が向上する。なお、親骨カバー１８の形状や親骨１７への固定方法としては様々なものを用いることができるが、本実施例では断面がコの字型のプラスチック製のカバーを用い、その弾性により内溝の中に親骨１７を嵌め込んで固定している。その他にも例えば、上下両端の親骨１７側に係合爪を有するカバーを用い、各係合爪を親骨１７の端部に係合させて固定してもよい。
【００２９】
上記実施例では、下ろくろ１５の下面に各下小骨１６に対応する溝が下方に開口するように設けられており、この溝の底面（天井面）がストッパとして作用することにより下小骨１６の上方への回動が制限されているが、下ろくろ１５の構成をこのようなストッパを設けないものにしてもよい。ストッパがない場合、下小骨１６が図１(ｂ)に示す状態よりも下ろくろ１５に対して上方に回動すると、下ろくろ１５が図１(ｂ)に示す位置よりも下方に移動し、親骨１８により構成されるシェードの下に、下小骨１６により構成される逆円錐台状の第２のシェードが形成される。これにより、照明器具１０の外観を図１、３に示したものとは異なるものにすることができる。なおこの場合、重り１９を下ろくろ１５中央の開口を通過可能なものにしておけば、照明器具１０の外観を、図３に示したものから上記第２のシェードが形成されたものまで連続的に変化させることができ、シェードの取り得る形態の幅が広がる。
【実施例２】
【００３０】
本発明に係る照明器具の第２の実施例を図５に示す。本実施例の照明器具３０はシェードの骨格構造は実施例１の照明器具１０と同じであるが、ワイヤ３１に関する構造に違いがある。本実施例のワイヤ３１は上ろくろ３３から３本吊り下げられており、各中間部が下ろくろ３５に設けられた挿通孔３５１を通り、各下端が碇部材３９に固定されている。本実施例のワイヤ３１や碇部材３９は実施例１のワイヤ２０や重り１９とは異なり、上下するものではない。なお、ワイヤ３１は２本又は４本以上でもよい。
【００３１】
挿通孔３５１は、図５(ｂ)に示すように、下ろくろ３５がワイヤ３１の中間位置にあるときに、ワイヤ３１の両端の固定点Ｐ、Ｑを結ぶ直線上からずれた位置にある。これにより、下ろくろ３５がワイヤ３１の中間位置にあるときには、ワイヤ３１が下ろくろ３５の位置で屈曲し、ワイヤ３１と挿通孔３５１の間に摩擦が生じる。このとき、挿通孔３５１の径やその開口の形状等を変更したり、ワイヤ３１の両端の固定点や挿通孔３５１の位置、ワイヤ３１の長さ等によって上記屈曲の程度を変更したりして、下ろくろ３５がワイヤ３１の中間位置で静止するように上記摩擦を設定する。
【００３２】
本実施例の照明器具３０は実施例１の照明器具１０と同様に、使用者が下ろくろ３５を上下させることにより、下小骨３６と親骨３７の間の角度が変化して、シェードの外観が変化する。また、下ろくろ３５は、ワイヤ３１と挿通孔３５１の間に生じる摩擦により任意の高さで静止させることができ、使用者が下ろくろ３５から手を離してもシェードの形状を維持することができる。
【００３３】
挿通孔３５１に環状のゴム部材を挿入し、その中にワイヤ３１を通してもよい。これにより、ワイヤ３１と挿通孔３５１の間に大きな摩擦を生じさせることができる。このとき、ゴム部材の径や材質等を適切に設定して、下ろくろ３５をワイヤ３１の中間位置で静止させる程度の摩擦を生じさせてもよい。これにより、碇部材３９がなくても下ろくろ３５を任意の位置（高さ）で静止させることができる。なお、この場合にはワイヤ３１は１本でもよいが、下ろくろ３５の姿勢を安定させるためには複数本とすることが望ましい。
【００３４】
また、下ろくろ３５にクリップ等のワイヤストッパを設けてもよい。これにより、所定の複数の位置（高さ）又は任意の位置（高さ）でワイヤ３１を挟持することができ、下ろくろ３５を任意の位置（高さ）で静止させることができる。なお、ワイヤストッパは各ワイヤ３１に取り付けてもよいが、使い勝手を考慮すると、複数のワイヤ３１のうちの１本のみに取り付けることが望ましい。
【００３５】
上記実施例は一例であって、本発明の趣旨に沿って適宜変形や修正を行えることは明らかである。例えば、上小骨と上ろくろの間にも摩擦を付与し、上小骨も（上ろくろの溝の底面に接するときの角度よりも上方の）任意の角度位置で静止できるようにしてもよい。また、上小骨と上ろくろの接続部にクリックストップ機構を用い、これにより上小骨を所定の複数の角度位置で静止できるようにしてもよい。これらにより、シェード上部をすぼめた状態で上記のように下ろくろ３５を上下させ、シェードの形状を様々に変化させることができる。
【００３６】
上記実施例では各親骨の周囲には何も張設していないが、そこに透明又は半透明のシェード部材を張設してもよい。また、モータ等を用いて、下ろくろに固定されたワイヤを巻き取ることにより、下ろくろを上下させてもよい。本発明に係る照明器具をフロアスタンド型等の他の照明器具に適用してもよい。
【符号の説明】
【００３７】
１０、３０…照明器具
１１…電球
１２…ソケット部
１３…上ろくろ
１３１…溝
１３２…壁部
１３３…凹部
１３４…貫通孔
１３５…湾曲部
１４…上小骨
１５…下ろくろ
１６、３６…下小骨
１７、３７…親骨
１８…親骨カバー
２０、３１…ワイヤ
３５１…挿通孔
３９…碇部材
【図１】
2011216191.tif 000003
【図２】
2011216191.tif 000004
【図３】
2011216191.tif 000005
【図４】
2011216191.tif 000006
【図５】
2011216191.tif 000007